(57)【要約】      （修正有）【課題】目皿の表面に洗浄水により洗浄されない部分をできにくくした小便器を提供する。【解決手段】上方に向け開口し洗浄水の供給を受けるボウル部２と、ボウル部２の底部２ａに設けられた凹部４と、凹部４の底面に立設され上下開口した排水筒６と、凹部４に取り付けられ排水筒６及び凹部４を覆う天板部を有する目皿１０と、目皿１０と凹部４の開口縁部との間に形成されて凹部４内に洗浄水を流入させる複数の流入口と、を備えた小便器において、排水筒６の上側の開口端６ａの最も高い位置は、複数の流入口の中で最も低い位置にある流入口よりも上方の位置であり、排水筒６の上側の開口端６ａの最も低い位置は、目皿１０の天板部の下面において最も低い位置となる下面下端よりも下方の位置とする。【選択図】図６
2014070343.tif 000002
【特許請求の範囲】
【請求項１】
上方に向け開口し洗浄水の供給を受けるボウル部と、
このボウル部の底部に設けられた凹部と、
この凹部の底面に立設され上下開口した排水筒と、
前記凹部に取り付けられ前記排水筒及び前記凹部を覆う天板部を有する目皿と、
前記目皿と前記凹部の開口縁部との間に形成されて前記凹部内に洗浄水を流入させる複数の流入口と、
を備えた小便器において、
前記排水筒の上側の開口端の最も高い位置は、前記複数の流入口の中で最も低い位置にある流入口よりも上方の位置であり、
前記排水筒の上側の開口端の最も低い位置は、前記目皿の天板部の下面において最も低い位置となる下面下端よりも下方の位置であることを特徴とする小便器。
【請求項２】
前記排水筒の上側の開口端の開口端面は、水平面に対して所定角度傾斜しており、
前記所定角度は、
前記開口端の最も高い位置が前記複数の流入口の中で最も低い位置にある流入口よりも上方の位置となる角度であるとともに、
前記開口端の最も低い位置が前記目皿の天板部の下面において最も低い位置となる下面下端よりも下方の位置となる角度であることを特徴とする請求項１に記載の小便器。
【請求項３】
前記排水筒の上端部には、前記排水筒の上側の開口端を部分的に低くする切欠き部が設けられており、
前記開口端の最も低い位置は、前記切欠き部の底の位置であることを特徴とする請求項１に記載の小便器。
【発明の詳細な説明】
【技術分野】
【０００１】
本発明は、目皿を備えた小便器に関する。
【背景技術】
【０００２】
従来、小便器のボウル部の底部に着脱可能に取り付けられる目皿は、陶器にて形成されていた。目皿を陶器で形成した場合、掃除等のメンテナンスのために目皿を着脱する際に、目皿がボウル部の底部等と当たって破損しやすく、また、重量が重いため作業がしにくいといった問題があった。そのため、近年では、陶器で形成した場合に比べて破損しにくく、重量が軽い上に、製造コストの低い合成樹脂で形成された目皿が利用されている（例えば、特許文献１参照。）。
【先行技術文献】
【特許文献】
【０００３】
【特許文献１】特開平９−０２１１６３号公報
【発明の概要】
【発明が解決しようとする課題】
【０００４】
目皿の材料となる合成樹脂としては、例えばポリ塩化ビニルやメラミン樹脂等が用いられる。これらの合成樹脂は撥水性を備えていることから、目皿の表面に接触する水は、目皿の表面で弾かれ、水自身の表面張力により水玉となりやすい。そのため、合成樹脂で形成された目皿は、小便器において供給される洗浄水による洗浄の際に、目皿上面の全体に万遍なく洗浄水が行き渡らず、洗浄されない部分ができやすいという問題があった
【０００５】
本発明は、上述した問題を解決するためになされたものであり、目皿の表面において、洗浄水により洗浄されない部分をできにくくすることが可能な小便器を提供することを目的とする。
【課題を解決するための手段】
【０００６】
本発明は、上方に向け開口し洗浄水の供給を受けるボウル部と、このボウル部の底部に設けられた凹部と、この凹部の底面に立設され上下開口した排水筒と、前記凹部に取り付けられ前記排水筒及び前記凹部を覆う天板部を有する目皿と、前記目皿と前記凹部の開口縁部との間に形成されて前記凹部内に洗浄水を流入させる複数の流入口と、を備えた小便器において、前記排水筒の上側の開口端の最も高い位置は、前記複数の流入口の中で最も低い位置にある流入口よりも上方の位置であり、前記排水筒の上側の開口端の最も低い位置は、前記目皿の天板部の下面において最も低い位置となる下面下端よりも下方の位置であることを特徴とする小便器である。
【０００７】
このように構成された本発明においては、排水筒の上側の開口端の最も高い位置は、複数の流入口の内で最も低い位置にある流入口よりも上方に位置するため、ボウル部に洗浄水が供給されたときに、凹部に留まる洗浄水の水位は最も低い位置にある流入口よりも上昇する。そのため、洗浄水が目皿の上面に溜まりやすいとともに、溜まった洗浄水に向けて洗浄水が供給され続けることで洗浄水を目皿上面の全体へと行き渡りやすくすることができる。また、排水筒の上側の開口端の最も低い位置は、目皿の天板部の下面において最も低い位置となる下面下端よりも下方に位置するため、ボウル部に洗浄水が供給されていないときには、凹部に留まる洗浄水の水位を目皿の上面よりも下方にすることができる。そのため、洗浄水が供給されていない状態で目皿の上に水が存在する状況を避けることができ、使用者に違和感を与えることがない。
【０００８】
本発明においては、前記排水筒の上側の開口端の開口端面は、水平面に対して所定角度傾斜してもよく、前記所定角度は、前記開口端の最も高い位置が前記複数の流入口の中で最も低い位置にある流入口よりも上方の位置となる角度であるとともに、前記開口端の最も低い位置が前記目皿の天板部の下面において最も低い位置となる下面下端よりも下方の位置となる角度である。
【０００９】
このように構成された本発明においては、排水筒の上側の開口端面の傾斜形状によって、ボウル部内に洗浄水が供給されたときに凹部に留まる洗浄水の水位を最も低い位置にある流入口よりも上昇させ、ボウル部に洗浄水が供給されていないときには凹部に溜まる洗浄水の水位を目皿の天板部の下面下端よりも下方にすることができる。
【００１０】
本発明は、また、前記排水筒の上端部には、前記排水筒の上側の開口端を部分的に低くする切欠き部が設けられてもよく、前記開口端の最も低い位置は、前記切欠き部の底の位置である。
【００１１】
このように構成された本発明においては、排水筒の上側の開口端によって、ボウル部に洗浄水が供給されたときに凹部に留まる洗浄水の水位を最も低い位置にある流入口よりも上昇させ、切り欠き部により、ボウル部に洗浄水が供給されていないときには凹部に留まる洗浄水の水位を目皿の天板部の下面下端よりも下方にすることができる。
【発明の効果】
【００１２】
本発明の小便器によれば、目皿の表面において、洗浄水により洗浄されない部分をできにくくすることが可能となる。
【図面の簡単な説明】
【００１３】
【図１】本発明の一実施形態における小便器を示す正面図。
【図２】本発明の一実施形態における小便器の目皿を外した状態を示す上面図。
【図３】図１のＡ―Ａ断面図。
【図４】（ａ）本発明の一実施形態における小便器の目皿を示す上面図。（ｂ）本発明の一実施形態における小便器の目皿を示す右側面図。（ｃ）本発明の一実施形態における小便器の目皿を示す底面図。
【図５】図３のＢ−Ｂ断面図。
【図６】図３の部分拡大図。
【図７】（ａ）本発明の一実施形態における小便器の洗浄時の水位を示す断面図。（ｂ）本発明の一実施形態における小便器の止水時の水位を示す断面図。
【図８】本発明の一実施形態における小便器の変形例を示す断面図。
【発明を実施するための形態】
【００１４】
以下、図面を参照して本発明の一実施形態による小便器について説明する。図１は本発明の一実施形態における小便器を示す正面図であり、図２は本発明の一実施形態における小便器の目皿を外した状態を示す上面図、図３は図１のＡ−Ａ断面図である。
【００１５】
図１〜図３に示すように、本発明の一実施形態による小便器１は、ボウル部２と、このボウル部２の底部２ａに設けられた凹部４と、この凹部４の底面に立設され上下開口した排水筒６と、ボウル部２へ洗浄水を供給する洗浄水供給手段８と、凹部４に取り付けられ排水筒６及び凹部４を覆う合成樹脂製の目皿１０とを備える。
【００１６】
ボウル部２は、上方に向けて開口したボウル形状であり、使用者が排泄した排泄物等を受ける。ボウル部２は、排泄物等を洗浄するため、洗浄水供給手段８から洗浄水の供給を受ける。凹部４は、ボウル部２の底部２ａの略中央に形成される凹みであり、開口端面が、前方から後方に向けて上昇するように傾斜している。さらに、凹部４の上端周縁には段差４ａが形成されている。
【００１７】
また、排水筒６は、詳細は後述するが、上下開口した略円筒形状で、凹部４の底面を貫通するように、凹部４の中央に立設されている。すなわち、排水筒６の上端の開口は、凹部４の底面よりも上方に位置し、排水筒６の下端の開口は、凹部４の底面よりも下方に位置しており、排水筒６が凹部４の底面を介して凹部４の内外を連通している。なお、本実施形態では排水筒６をボウル部２の底部２ａ及び凹部４と一体に形成した場合を示しているが、このような実施形態に限定されるものではなく、例えば、排水筒６を樹脂等で形成し別体としてもよい。
【００１８】
洗浄水供給手段８は、ボウル部２の上部に設けられる。洗浄水供給手段８は、水道管等の図示しない水源から、使用者による洗浄開始操作を検出して動作するフラッシュバルブ等の図示しない開閉弁を介して供給される洗浄水を、ボウル部２の壁面に沿って下方へ向けて吐水する。
【００１９】
次に、図４及び図５を参照して、本発明の一実施形態における目皿１０の詳細を説明する。図４（ａ）は本発明の一実施形態における小便器の目皿を示す上面図、（ｂ）は本発明の一実施形態における小便器の目皿を示す右側面図、（ｃ）は本発明の一実施形態における小便器の目皿を示す底面図、図５は図２のＢ−Ｂ断面図である。
図４に示すように、目皿１０は、略平板状の目皿本体部１０ａ（天板部）と、この目皿本体部１０ａの下面から下方に突出する筒状部１０ｂとを有する。
【００２０】
目皿本体部１０ａは、上面が前方から後方に向けて上昇するように傾斜して形成される。目皿本体部１０ａの後端は左右にまっすぐな直線状であり、左端及び右端は後端の左右端部から前後方向略中央部までそれぞれ直線状に左右方向の幅を拡大させるように前方へと延び、前後方向略中央部から前半部分は前方に向けて弧を描く半円状になっている。目皿本体部１０ａの下面の左前端近くと右前端近くには、それぞれにリブ１０ｃ、１０ｃが形成されている。
【００２１】
また、図５に示すように、目皿本体部１０ａの下面の端部には目皿凹部１０ｄ１〜１０ｄ４が形成されている。目皿凹部１０ｄ１、１０ｄ２は、リブ１０ｃ、１０ｃよりも後方側の左右両端に形成され、目皿凹部１０ｄ３、１０ｄ４は、リブ１０ｃよりも前方側の左右両端に形成されている。目皿凹部１０ｄ１〜１０ｄ４は、いずれも目皿本体部１０ａの端部下面において、略中心に向けて凹む形状であり、下端が開放されている。これら目皿凹部１０ｄ１〜１０ｄ４が形成されることにより、目皿１０を凹部に取り付けた状態では、左右両端のリブ１０ｃと目皿本体部１０ａの後方側下面とが凹部４の段差４ａに当接しつつ、目皿本体部１０ａ前方側の下面と凹部４前方側の段差４ａとの間に隙間１２が生じる（図３参照）。この隙間１２及び目皿凹部１０ｄ１〜１０ｄ４が、凹部４内に洗浄水を流入させる流入口として機能する。
【００２２】
また、目皿本体部１０ａの上面中央には、上方に向けて突出する着脱操作部１０ｅが形成されている。着脱操作部１０ｅの左側面から右側面に向けて貫通する貫通孔１０ｆが開設されており、この貫通孔１０ｆにフック等を掛けられるようになっている。これにより、凹部４に対して目皿１０を容易に着脱できるようになっている。
【００２３】
筒状部１０ｂは、上端が目皿本体部１０ａの下面に連接されており、下端が開口した略円筒状である。このため、筒状部１０ｂの上端は、目皿本体部１０ａの傾斜に沿うように、前方から後方に向けて上昇するように傾斜している。また、筒状部１０ｂは、目皿本体部１０ａを凹部４に取り付けたときに、凹部４の内周壁面及び底面、排水筒６の外周壁面とで形成される凹状の空間に嵌り込む。
【００２４】
また、筒状部１０ｂの内径は、排水筒６の外径よりも大きく、筒状部１０ｂは、目皿本体部１０ａを凹部４に取り付けたときに、排水筒６の外側を囲うように配置され、筒状部１０ｂの下端は、排水筒６の上端の何れの部位よりも下方に位置し、凹部４の底面に届かない程度の長さである。そして、排水筒６の全周には、筒状部１０ｂとの間には略一定の隙間が形成され、排水筒６と筒状部１０ｂは、略同軸状の位置関係となる。これにより、筒状部１０ｂと、凹部４の内周壁面及び底面と排水筒６の外周壁面とで、排水トラップを形成する。
【００２５】
次に、図６を参照して、本発明の一実施形態における排水筒６の詳細を説明する。
図６は、図３の部分拡大図である。
排水筒６の上側の開口端の開口端面６ａは、前方から後方に向けて上昇するように水平面に対して所定角度Ｒ傾斜している。
【００２６】
所定角度Ｒは、傾斜する開口端面６ａの上端の高さ位置Ｌ６が、流入口として機能する隙間１２及び目皿凹部１０ｄ（１０ｄ１〜１０ｄ４）の中で最も低い位置となる隙間１２の最下端の高さ位置Ｌ２よりも、上方となる角度である。さらに、所定角度Ｒは、傾斜する開口端面６ａの下端の高さ位置Ｌ０が、傾斜する目皿本体部１０ａ下面において最も低い位置となる下面下端、即ち目皿本体部１０ａの最前下端の高さ位置Ｌ４よりも下方となる角度である。なお、高さ位置Ｌ４は高さ位置Ｌ２と同一の高さ位置である。即ち、開口端面６ａの傾斜によって排水筒６の上側の開口端の最も高い位置となる高さ位置Ｌ６が、複数の流入口の中で最も低い位置にある流入口である隙間１２よりも上方の位置となり、かつ、開口端面６ａの傾斜によって排水筒６の上側の開口端の最も低い位置となる高さ位置Ｌ０が、目皿本体部１０ａの最前下端の高さ位置Ｌ４よりも下方の位置となるように、開口端面６ａの傾斜角度（所定角度Ｒ）が設定される。また、所定角度Ｒは目皿本体部１０ａの傾斜角度と略同角度である。なお、本実施形態において、高さ位置Ｌ２と高さ位置Ｌ４とは同一の高さとなるが、本発明はこのような形態に限定されず、高さ位置Ｌ２と高さ位置Ｌ４とを互いに異なる高さとしてもよい。
【００２７】
排水筒６の下端の開口は建物の壁面内等に配置された図示しない配管と連通し排泄物等を排出することができるようになっている。
【００２８】
以下、図７（ａ）及び（ｂ）を参照して本発明の一実施形態における小便器１の動作について説明する。図７（ａ）は本発明の一実施形態における小便器の洗浄時の水位を示す断面図、（ｂ）は本発明の一実施形態における小便器の止水時の水位を示す断面図である。
使用者がフラッシュバルブ等の開閉弁（図示せず）に対して洗浄開始操作を行うと、ボウル部２の上方位置に設けられた洗浄水供給手段８へと水源（図示せず）から洗浄水が開閉弁を介して供給される。供給された洗浄水が、洗浄水供給手段８によってボウル部２へと吐水され、ボウル部２の内面全体に洗浄水が行き渡る。ボウル部２にて受けた排泄物等は洗浄水とともにボウル部２の底部２ａへと流れていく。
【００２９】
ボウル部２の底部２ａ流れてきた排泄物等を含む洗浄水の一部が、目皿本体部１０ａ上面の後方側から前方側へと流れるとともに、目皿本体部１０ａの前方側と凹部４の段差４ａとの間の隙間１２と、目皿本体部１０ａ下面の目皿凹部１０ｄ（１０ｄ１〜１０ｄ４）とから凹部４内へと流れ込む。凹部４内へと流れ込んだ洗浄水は、排水筒６内を通り、排水筒６の下端開口から配管（図示なし）へと排出される。また、凹部４内では、排水筒６の上端の開口端面６ａが後方に向けて上昇傾斜しており、目皿本体部１０ａ下面に近接しているため、特に後方側にて洗浄水が排水筒６内へと流れ込みにくくなっており、凹部４内の水位が徐々に上昇していく。この水位の上昇により、図７（ａ）に示すように、洗浄水の水位は、目皿本体部１０ａ上面の下側の一部を越える位置である洗浄時水位ＷＬ２となり、目皿本体部１０ａ上面の前側部分の上には洗浄水が溜まる。このように目皿本体部１０ａ上に溜まる洗浄水により、隙間１２及び目皿凹部１０ｄから洗浄水が凹部４内へ流入しにくくなるとともに、溜められた洗浄水と洗浄水供給手段８から吐水された洗浄水とが合流することで、目皿本体部１０ａ上面の全体へと洗浄水が行き渡る。
【００３０】
洗浄水供給手段８による洗浄水の吐水が停止すると、ボウル部２の底部２ａにおける洗浄水の水位は徐々に下降していく。この水位の下降により、洗浄水の水位は、図７（ｂ）に示すように、排水筒６の上端の開口端面６ａの下端の高さ位置、つまり排水筒６の上側の開口端の最も低い位置と同じ高さ位置である止水時水位ＷＬ０となる。
【００３１】
上述した本発明の一実施形態における小便器１においては、排水筒６の開口端面６ａが所定角度Ｒ傾斜している。この所定角度Ｒは、排水筒６の上側の開口端の最も高い位置、つまり開口端面６ａの上端の高さ位置Ｌ６が、隙間１２及び目皿凹部１０ｄの中で最も低い位置となる隙間１２の最下端の高さ位置Ｌ２よりも上方に位置する角度である。そのため、排水筒６内へ洗浄水が入りにくく、排水筒６から洗浄水が排出されにくくなることで、凹部４内の水位を上昇させて洗浄水の水位が目皿本体部１０ａの上面の一部よりも上方へと上昇させることができる。この洗浄水の水位の上昇により、目皿本体部１０ａ上面の前側部分には洗浄水が溜まる。この溜まった洗浄水により、洗浄水が隙間１２及び目皿凹部１０ｄから凹部４内へ流入しにくくなるとともに、溜まった洗浄水と洗浄水供給手段８から吐水された洗浄水とが合流し、目皿本体部１０ａ上面へと洗浄水が広がりやすくなる。そのため、目皿１０の上面全体へと洗浄水を万遍なく行き渡らせることができ、撥水性を備える目皿１０上面において洗浄されない部分をできにくくすることが可能となる。また、所定角度Ｒは、排水筒６の上側の開口端の最も低い位置、つまり開口端面６ａの下端の高さ位置Ｌ０が、目皿１０の目皿本体部１０ａ下面において最も低い位置となる最前下端の高さ位置Ｌ４（Ｌ２）よりも下方に位置する角度であるため、洗浄水供給手段８により洗浄水が供給されていないときには、凹部４に溜まる洗浄水の水位を目皿１０の上面よりも下方にすることができる。そのため、洗浄水が供給されていない状態で目皿１０の上に水が存在する状況を避けることができ、使用前及び使用後において、使用者に違和感を与えることがない。
【００３２】
さらに、排水筒６の開口端面６ａの傾斜角度である所定角度Ｒは、目皿本体部１０ａの傾斜角度と略同角度である。これにより、目皿１０を着脱する際に、筒状部１０ｂ上面と排水筒６の上端とが接触しにくいため、作業がしやすく、接触による破損も生じにくい。また、排水筒６の上側の開口端面を水平面に対して傾斜させる構成によれば、排水筒６の上側の開口端の高さ位置に高低をつけるに際し、開口端面６ａが傾斜するという簡易な形状であるため、排水筒６を含む便器部分を作製しやすい。
【００３３】
なお、本実施形態においては、排水筒６の開口端面６ａを所定角度Ｒ傾斜させることにより、排水筒６上端の一部を複数の流入口（隙間１２、目皿凹部１０ｄ（１０ｄ１〜１０ｄ４））の内で最も低い位置にある流入口（隙間１２の最下端）よりも上方に位置させるとともに、排水筒６上端の他の一部を目皿１０の目皿本体部１０ａ下面において最も低い位置となる下面下端（目皿本体部１０ａの最前下端）よりも下方に位置させているが、本発明はこのような形態に限定されない。
【００３４】
本実施形態に係る小便器の変形例について、図８を用いて説明する。図８（ａ）は本発明の一実施形態における小便器の変形例を示す断面図、（ｂ）は（ａ）のＰ視図である。
【００３５】
この変形例の小便器においては、上述したように排水筒６の開口端面に傾斜をつける代わりに、排水筒６の上端部に切欠き部６ｂを設けることで、排水筒６の上側の開口端の高さ位置に高低差を設けている。つまり、この変形例の小便器においては、排水筒６の上端部に、排水筒６の上側の開口端を部分的に低くする切欠き部６ｂが設けられており、排水筒６の上側の開口端の最も低い位置が、切欠き部６ｂの底（底面）の位置となっている。
【００３６】
具体的には、図８（ａ）及び（ｂ）に示すように、排水筒６の上端を隙間１２の最前端よりも上方に位置させるとともに、排水筒６上端から目皿本体部１０ａの最前下端よりも下方の位置にまで及ぶ切欠き部６ｂが設けられている。そして、排水筒６においては、切欠き部６ｂの底（底面）の位置が、排水筒６の上側の開口端の最も低い位置であり、目皿本体部１０ａの下面下端よりも下方の位置となる。ここで、この場合、洗浄水供給手段８から洗浄水が供給されたときには、洗浄水の水位は目皿１０上面の一部よりも上方の洗浄時水位ＷＬ２となり、洗浄水が供給されないときには、切欠き部６ｂの下端位置である止水時水位ＷＬ０となる。これにより、上述したように排水筒６の開口端面に傾斜をつけることで排水筒６の上側の開口端の高さ位置に高低を設ける構成の場合と同様の作用効果を得ることができる。
【００３７】
なお、図８に示す例では、切欠き部６ｂは、略矩形状であって、排水筒６の上側の開口端部において後側（図８（ａ）において右側）に設けられているが、切欠き部６ｂの形状や配置位置は特に限定されない。また、排水筒６の上側の開口端の高さ位置に高低を設けるための構成としては、この変形例のように切欠き部を設ける構成と、上述したように排水筒６の開口端面６ａに傾斜をつける構成とを組み合わせた構成であってもよい。
【符号の説明】
【００３８】
１…小便器
２…ボウル部
２ａ…底部
４…凹部
４ａ…段差
６…排水筒
６ａ…開口端面
６ｂ…切欠き部
８…洗浄水供給手段
１０…目皿
１０ａ…目皿本体部
１０ｂ…筒状部
１０ｃ…リブ
１０ｄ…目皿凹部
１０ｅ…着脱操作部
１０ｆ…貫通孔
１２…隙間
【図１】
2014070343.tif 000003
【図２】
2014070343.tif 000004
【図３】
2014070343.tif 000005
【図４】
2014070343.tif 000006
【図５】
2014070343.tif 000007
【図６】
2014070343.tif 000008
【図７】
2014070343.tif 000009
【図８】
2014070343.tif 000010